(57)【要約】【課題】端末機のレシーバの位置を自在に制御するために感知部を備えることにより、快適な音声通話を可能にする移動通信端末機のレシーバ位置最適化装置及び方法を提供する。【解決手段】移動通信端末機は、耳の穴の特徴に基づいて耳の穴の位置情報を感知する感知部１８と、前記耳の穴の特徴に基づいて特徴パラメータを抽出し、前記抽出された特徴パラメータと耳の穴の一般の特徴に関連した平均パラメータとを比較する制御部１０２と、制御部１０２の制御により音声信号の出力方向を調節するレシーバ２０とを含む。【選択図】図２
2007227987.tif 000002
【特許請求の範囲】
【請求項１】
耳の穴の特徴に基づいて耳の穴の位置情報を感知する感知部と、
前記耳の穴の特徴に基づいて特徴パラメータを抽出し、前記抽出された特徴パラメータと耳の穴の一般の特徴に関連した平均パラメータとを比較する制御部と、
該制御部の制御により音声信号の出力方向を調節するレシーバと
から構成されることを特徴とする移動通信端末機。
【請求項２】
前記パラメータとデータとを比較するための比較部をさらに含むことを特徴とする請求項１に記載の移動通信端末機。
【請求項３】
前記制御部の制御により前記レシーバの方向を調節するための駆動部をさらに含むことを特徴とする請求項１に記載の移動通信端末機。
【請求項４】
前記抽出されたパラメータ及び／又はデータを保存するためのメモリをさらに含むことを特徴とする請求項１に記載の移動通信端末機。
【請求項５】
前記感知された耳の穴の位置情報は、
二進化及び／又はノイズ除去過程を経て前記制御部に転送されることを特徴とする請求項１に記載の移動通信端末機。
【請求項６】
前記感知部は、
距離を測定するための距離測定センサ及び／又は画像を撮影する画像認識センサを含むことを特徴とする請求項１に記載の移動通信端末機。
【請求項７】
前記レシーバは、
前記制御部の制御を受ける駆動部により上、下、左、右側にそれぞれ動くことを特徴とする請求項１に記載の移動通信端末機。
【請求項８】
前記抽出された特徴パラメータが入力されると、前記入力された特定パラメータを含んで平均データが更新されることを特徴とする請求項１に記載の移動通信端末機。
【請求項９】
前記比較部は、
前記抽出された特徴パラメータと一般の人々の耳の穴の特徴パラメータの平均データ値とを比較した後、該結果値を制御部に転送することを特徴とする請求項２に記載の移動通信端末機。
【請求項１０】
前記制御部は、
駆動部を制御して前記結果値により前記レシーバの位置をユーザの耳の穴の位置に合わせることを特徴とする請求項９に記載の移動通信端末機。
【発明の詳細な説明】
【技術分野】
【０００１】
本発明は、移動通信端末機（Ｕｓｅｒ  Ｅｑｕｉｐｍｅｎｔ）に関し、特に、人の耳の穴（Ｅａｒ−Ｈｏｌｅ）の特徴を感知し得る感知部を利用することで通話音が出力されるレシーバ（ｒｅｃｅｉｖｅｒ）の位置を最適化する移動通信端末機のレシーバ位置最適化装置及び方法に関する。
【背景技術】
【０００２】
一般に、移動通信サービス事業者は、ユーザに、無線インターネットの接続、ＶｏＤ（Ｖｉｄｅｏ  ｏｎ  Ｄｅｍａｎｄ）サービス、ショートメッセージ及びマルチメディアメッセージの転送、並びにモバイルオンラインゲームなどのような通信機能と連係した機能を提供し、移動通信端末機の製造業者は、カメラ、ＭＰ３プレーヤ、メモ帳、スケジューラ、モーニングコール機能などのような通信機能と連係せずに独自で行われる機能を提供する。
【０００３】
このように移動通信端末機（以下、端末機とも称する）に提供される機能を聴覚化するために、端末機は、ＭＰ３のような音声ファイルを出力するスピーカ、受信された通信信号を復調して音声信号に変換して出力するレシーバ、音声信号をデータ信号に変調するマイクロホンを備える必要がある。ここで、レシーバ及びマイクロホンを備えた端末機を利用して音声通話をする場合、ユーザは、端末機のレシーバを耳に密着することで、相手の話を端末機から出力される音声信号として聞き、自分の話はマイク装置によりデータ信号に変調して相手の端末機のレシーバに音声信号として出力される。
【０００４】
しかしながら、従来の端末機に備えられたレシーバは、端末機の製造社の設計に従って所定位置に固定されているため、ユーザは、レシーバから出力される音声信号を聞くために手で端末機を持ってレシーバに耳を密着させなければならないが、このように、手で端末機を持って通話したり顔と肩の間に端末機を挟んで電話する場合、音声信号を受信するユーザの耳の穴とレシーバの方向とが合わないと、レシーバから出力される音声信号を正常に聞くことが難しい。従って、前述したような既存の端末機を使用して音声通話をする場合は、固定されたレシーバと耳の方向とがずれないように気を遣いながら通話をしなければならないという不都合があった。
【発明の開示】
【発明が解決しようとする課題】
【０００５】
本発明の目的は、端末機のレシーバの位置を自在に制御するための感知部を備えることで、快適な音声通話を行い得る移動通信端末機のレシーバ位置最適化装置及び方法を提供することにある。
【課題を解決するための手段】
【０００６】
このような目的を達成するために、本発明に係る移動通信端末機は、耳の穴の特徴に基づいて耳の穴の位置情報を感知する感知部と、前記耳の穴の特徴に基づいて特徴パラメータを抽出し、前記抽出された特徴パラメータと耳の穴の一般の特徴に関連した平均パラメータとを比較する制御部と、前記制御部の制御により音声信号の出力方向を調節するレシーバとから構成されることを特徴とする。
【０００７】
このような目的を達成するために、本発明に係る移動通信端末機のレシーバ位置最適化方法は、耳の穴を感知する感知過程と、前記感知されて生成された情報から耳の穴の特徴パラメータを抽出する抽出過程と、前記抽出されたパラメータと保存領域に既に保存されたデータとを比較して音声信号の出力方向を調節する調節過程とを含むことを特徴とする。
【０００８】
ここで、前記データは、ニューラルネットワークアルゴリズムを利用して得られた多くの人の耳の穴の特徴の平均的な特徴パラメータをいう。
【０００９】
かつ、前記生成された情報は、二進化及び／又はノイズ除去（Ｎｏｉｓｅ  Ｒｅｄｕｃｔｉｏｎ）過程によりデジタルに変換されることでノイズが除去されることを特徴とする。
【００１０】
上記目的を達成するために、本発明は、例えば、以下の手段を提供する。
（項目１）
耳の穴の特徴に基づいて耳の穴の位置情報を感知する感知部と、
前記耳の穴の特徴に基づいて特徴パラメータを抽出し、前記抽出された特徴パラメータと耳の穴の一般の特徴に関連した平均パラメータとを比較する制御部と、
該制御部の制御により音声信号の出力方向を調節するレシーバと
から構成されることを特徴とする移動通信端末機。
（項目２）
前記パラメータとデータとを比較するための比較部をさらに含むことを特徴とする項目１に記載の移動通信端末機。
（項目３）
前記制御部の制御により前記レシーバの方向を調節するための駆動部をさらに含むことを特徴とする項目１に記載の移動通信端末機。
（項目４）
前記抽出されたパラメータ及び／又はデータを保存するためのメモリをさらに含むことを特徴とする項目１に記載の移動通信端末機。
（項目５）
前記感知された耳の穴の位置情報は、
二進化及び／又はノイズ除去過程を経て前記制御部に転送されることを特徴とする項目１に記載の移動通信端末機。
（項目６）
前記感知部は、
距離を測定するための距離測定センサ及び／又は画像を撮影する画像認識センサを含むことを特徴とする項目１に記載の移動通信端末機。
（項目７）
前記レシーバは、
前記制御部の制御を受ける駆動部により上、下、左、右側にそれぞれ動くことを特徴とする項目１に記載の移動通信端末機。
（項目８）
前記抽出された特徴パラメータが入力されると、前記入力された特定パラメータを含んで平均データが更新されることを特徴とする項目１に記載の移動通信端末機。
（項目９）
前記比較部は、
前記抽出された特徴パラメータと一般の人々の耳の穴の特徴パラメータの平均データ値とを比較した後、該結果値を制御部に転送することを特徴とする項目２に記載の移動通信端末機。
（項目１０）
前記制御部は、
駆動部を制御して前記結果値により前記レシーバの位置をユーザの耳の穴の位置に合わせることを特徴とする項目９に記載の移動通信端末機。
【発明の効果】
【００１１】
前述したように、本発明は、音声信号が出力されるレシーバが耳の穴に密着すると、耳の穴の位置をリアルタイムで追跡して最適の位置にレシーバを動かし得る移動通信端末機を提供することにより、ユーザの通話の際、レシーバの位置を気にせずに快適な音声通話行い得るという効果がある。
【００１２】
また、前記距離測定センサ又は画像認識センサによりユーザの耳の穴の距離を測定するか、又は画像を撮影し、それら測定又は撮影された情報を分析して得られたデータを用いてレシーバの位置を自動的に最適化し得るという効果がある。
【発明を実施するための最良の形態】
【００１３】
以下、添付の図面に基づいて本発明の好ましい実施形態を説明する。
【００１４】
本発明の基本概念は、レシーバの方向をユーザの耳の穴に合わせて調節することにより、ユーザがレシーバの位置を気にせずに快適に音声通話行い得るというものである。
【００１５】
図１は、本発明に係る移動通信端末機のレシーバの位置を示す外観図である。
【００１６】
図１に示すように、本発明に係る端末機は、基本的な演算機能装置を備えた本体部１２と、画像モジュール１６、感知部１８、レシーバ２０を備えた蓋部１０とを含む。
【００１７】
なお、符号１４はキーパッドを示し、符号２２はマイクを示す。
【００１８】
また、図２は、本発明に係る移動通信端末機のレシーバ位置最適化装置を示すブロック図である。
【００１９】
図２に示すように、本発明に係る端末機のレシーバ位置を最適化する装置は、耳の穴の特徴に基づいて耳の穴の位置情報を感知する感知部１８と、前記耳の穴の特徴に基づいて特徴パラメータを抽出し、前記抽出された特徴パラメータと耳の穴の一般の特徴に関連した平均パラメータとを比較する制御部１０２と、前記抽出されたパラメータ及び／又はデータを保存するためのメモリ１０４と、前記抽出されたパラメータと耳の穴の特徴パラメータの平均的なデータ値とを比較した後、該結果値を制御部１０２に転送する比較部１０６と、制御部１０２の制御により音声信号の出力方向を調節するレシーバ２０と、制御部１０２の制御によりレシーバ２０の方向を調節する駆動部１０８と、制御部１０２とレシーバ２０間に連結されたＩ／Ｏインタフェース部１００と、マイク２２とを含む。
【００２０】
以下、図２に基づいて、本発明にかかる移動通信端末機のレシーバ位置最適化装置の動作を説明する。
【００２１】
ユーザが感知部１８（例：距離測定センサ、画像認識センサなど）が備えられた端末機のレシーバを耳に密着させると、感知部１８、例えば、距離測定センサは、ユーザの耳の穴の距離を測定した後、前記測定された値をＩ／Ｏインタフェース部１００を通じて制御部１０２に転送する。次に、制御部１０２は、前記測定された値を二進化及び／又はノイズ除去方法で分析及び判読して耳の穴の特徴を示すパラメータを抽出した後、比較部１０６に転送し、また、一般の人々の耳の穴の特徴を示すパラメータ値などの平均データが既に保存されているメモリ１０４に保存する。
【００２２】
すなわち、メモリ１０４には、前記平均データ値を示すテーブルが保存されており、該テーブルは、ユーザの耳の穴の特徴を示す前記抽出されたパラメータ値を保存しているため、平均データは抽出されたパラメータ値を含んで更新される。
【００２３】
次に、制御部１０２は、メモリ１０４に保存された耳の穴の平均データ値を比較部１０６に転送し、距離測定センサにより測定された距離値から抽出されたパラメータ値を比較部１０６に転送する。比較部１０６は、制御部１０２の制御により２つの値を比較し、前記比較された結果値を制御部１０２に転送する。制御部１０２は、受信された比較値によって駆動部１０８によりレシーバ２０をユーザの耳の穴の特徴に合わせて上、下、左、右に動かして最適方向に制御し、ユーザが通話中であると、前記制御されたレシーバの方向に電気的音声信号を出力する。
【００２４】
このような過程は、ユーザが音声通話中に同時に行われるか、又は音声通話中でないときにも行われる。
【００２５】
図３は、本発明に係る移動通信端末機のレシーバ位置最適化方法を示すフローチャートである。
【００２６】
以下、図３に基づいて本発明に係るレシーバ位置最適化方法を説明する。
【００２７】
ユーザが距離測定センサを備えた端末機のレシーバ２０を耳に密着させると、前記レシーバ２０に近接して位置する距離測定センサは、ユーザの耳の穴を感知し、前記感知された耳の穴の特徴を含む情報を生成する（Ｓ１００、Ｓ１０２）。前記生成された情報に対しては、アナログ映像をデジタルに変換する二進化過程とデジタルに変換された映像をフィルタリングするノイズ除去過程とを含む前処理作業が行われる（Ｓ１０４）。
【００２８】
制御部１０２は、前処理された値からレシーバ２０の位置を最適化するために必要な特徴パラメータを抽出するが、このときに抽出される特徴パラメータによってレシーバの位置の正確性が決定されるため、前記抽出される特徴パラメータの計算量は非常に慎重に決定されなければならず、計算量を増加することで、前記正確性を向上させる（誤差を低減する）（Ｓ１０６）。次に、制御部１０２は、その抽出されたパラメータと保存領域（例：メモリ）に予め保存された一般の人々の耳の穴の特徴パラメータの平均データとを比較部１０６に転送し、抽出されたパラメータを保存領域（例：メモリ）に保存して前記抽出されたパラメータを含めて平均データを更新する（Ｓ１０８）。
【００２９】
比較部１０６は、前記抽出されたパラメータから算出された結果と平均データとを比較することで、類似した特徴を有する映像部分の位置を判読する（Ｓ１１０）。次に、比較部１０６は、比較された結果値を制御部１０２に転送し、該制御部１０２は、駆動部を制御して前記結果値によってレシーバ２０の位置を調節することでユーザの耳の穴の位置に最適化する（Ｓ１１２）。
【００３０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３１】
端末機のレシーバの位置を自在に制御するために感知部を備えることにより、快適な音声通話を可能にする移動通信端末機のレシーバ位置最適化装置及び方法を提供する。
【００３２】
移動通信端末機は、耳の穴の特徴に基づいて耳の穴の位置情報を感知する感知部１８と、前記耳の穴の特徴に基づいて特徴パラメータを抽出し、前記抽出された特徴パラメータと耳の穴の一般の特徴に関連した平均パラメータとを比較する制御部１０２と、制御部１０２の制御により音声信号の出力方向を調節するレシーバ２０とを含む。
【図面の簡単な説明】
【００３３】
【図１】本発明に係る移動通信端末機のレシーバの位置を示す外観図である。
【図２】本発明に係るレシーバ位置最適化装置を示すブロック図である。
【図３】図２の動作方法を示すフローチャートである。
【符号の説明】
【００３４】
１０：蓋部
１２：本体部
１４：キーパッド
１６：画像装置モジュール
１８：感知部
２０：レシーバ
２２：マイク
１００：Ｉ／Ｏインタフェース部
１０２：制御部
１０４：メモリ
１０６：比較部
１０８：駆動部
【図２】
2007227987.tif 000003
【図３】
2007227987.tif 000004
【図１】
2007227987.tif 000005